(57)【要約】【課題】一方のアンテナ入力回路の入力段に設けたスイッチング素子に印加されるＤＣ電圧／電流を電界強度に応じて最適化でき、強電界入力時のスイッチング素子での歪の発生を抑制すること。【解決手段】このテレビジョンチューナの入力回路は、入力端子Ｔ１に対して、ＶＨＦ用アンテナ入力回路６０と、ＵＨＦ用アンテナ入力回路３０とが並列に接続され、ＶＨＦ用アンテナ入力回路６０及びＵＨＦ用アンテナ入力回路９０の出力段に、ＡＧＣアンプで構成されるＡＧＣ回路４０が接続される。入力端子Ｔ１とＵＨＦ用アンテナ入力回路９０との間にダイオードＤ１が接続され、ＡＧＣアンプ４１の入力端とＡＧＣアンプ４２の入力端との間に直流的に接続され、受信帯域として選択された側のＡＧＣアンプの入力端からダイオードＤ１にバイアス電圧が印加され、受信帯域として選択されなかった側のＡＧＣアンプの入力端が直流的に接地される。【選択図】図１
2010068401.tif 000002
【特許請求の範囲】
【請求項１】
テレビジョン信号が入力される入力端と、
前記入力端に接続され、第１の帯域を受信帯域とする第１の高周波回路と、
前記入力端に前記第１の高周波回路と並列に接続され、前記第１の帯域と異なる第２の帯域を受信帯域とする第２の高周波回路と、
前記入力端と前記第２の高周波回路との間に設けられ、第１の帯域選択時にＯＦＦし、第２の帯域選択時にＯＮする半導体からなるスイッチング素子と、
前記第１の高周波回路に設けられ、第１の帯域受信時に前記スイッチング素子にＡＧＣ電圧に連動して逆方向に増減するバイアス電圧を印加する第１のＡＧＣ回路と、
前記第２の高周波回路に設けられ、第２の帯域受信時に前記スイッチング素子にＡＧＣ電圧に連動して逆方向に増減するバイアス電圧を印加する第２のＡＧＣ回路と、
を具備し、
前記スイッチング素子は、当該スイッチング素子に流れる電流又は当該スイッチング素子の両端間にかかる電圧が、前記テレビジョン信号のレベルの大きさに応じて当該信号レベルの変化方向と同一方向に変動することを特徴とするテレビジョンチューナの入力回路。
【請求項２】
前記第１のＡＧＣ回路は、ＡＧＣ電圧によってゲインコントロールされる第１の増幅回路を有し、
前記第２のＡＧＣ回路は、ＡＧＣ電圧によってゲインコントロールされる第２の増幅回路を有し、
前記スイッチング素子は、前記第１の増幅回路の入力端と前記第２の増幅回路の入力端との間に直流的に接続され、
受信帯域として選択された側のＡＧＣ回路の増幅回路の入力端から前記スイッチング素子に前記バイアス電圧が印加され、受信帯域として選択されなかった側のＡＧＣ回路の増幅回路の入力端が直流的に接地されることを特徴とする請求項１記載のテレビジョンチューナの入力回路。
【請求項３】
前記スイッチング素子は、スイッチングダイオードであることを特徴とする請求項１又は請求項２記載のテレビジョンチューナの入力回路。
【請求項４】
テレビジョン信号が入力される前記入力端と前記スイッチングダイオードのカソードとの間に接続されたコンデンサと、
コレクタが前記第１の増幅回路の入力端に直流的に接続され、ベースが前記第２の増幅回路の入力端に直流的に接続され、エミッタが接地されたトランジスタと、
前記第１の増幅回路の入力端と前記トランジスタのコレクタとの間に接続され、前記第１の帯域に対して低インピーダンスとなる抵抗値を有する第１の抵抗と、
前記スイッチングダイオードのカソードと前記第１の増幅回路の入力端との間を直流的に接続する第２の抵抗と、
前記スイッチングダイオードのアノードと前記トランジスタのベースとに直流的に接続され、第１の帯域受信時は前記スイッチングダイオードのアノード及び前記トランジスタのベースを接地し、第２の帯域受信時は前記スイッチングダイオードに対して順バイアス電圧となる直流電圧を出力する切替スイッチと、
を具備したことを特徴とする請求項１から請求項３のいずれかに記載のテレビジョンチューナの入力回路。
【請求項５】
前記第１の高周波回路は、ＶＨＦ帯域受信用回路であり、
前記第２の高周波回路は、ＵＨＦ帯域受信用回路である、
ことを特徴とする請求項１から請求項４のいずれかに記載のテレビジョンチューナの入力回路。
【発明の詳細な説明】
【技術分野】
【０００１】
本発明は、ＶＨＦ帯／ＵＨＦ帯のように複数の帯域を有するテレビジョン信号を選択的に受信するためのテレビジョンチューナの入力回路に関する。
【背景技術】
【０００２】
従来、テレビジョン信号のＶＨＦ帯／ＵＨＦ帯を別々の高周波回路に振り分けて受信するテレビジョンチューナの入力回路がある（例えば、特許文献１参照）。
【０００３】
図５はＶＨＦ帯／ＵＨＦ帯を別々の高周波回路に振り分けて受信するテレビジョンチューナの入力回路の構成図である。アンテナフィルタ１０に接続された入力端に対して、ＶＨＦ用アンテナ入力回路２０と、ＵＨＦ用アンテナ入力回路３０とが並列に接続され、ＶＨＦ用アンテナ入力回路２０及びＵＨＦ用アンテナ入力回路３０の出力段に、ＡＧＣアンプで構成されるＡＧＣ回路４０が接続され、さらにＶＨＦ用アンテナ入力回路２０側にはＶＨＦ  ＲＦ複同調回路５１及び混合器５２が接続され、ＵＨＦ用アンテナ入力回路３０側にはＵＨＦ  ＲＦ複同調回路５３及び混合器５４が接続されている。
【０００４】
テレビジョンチューナの入力回路の入力端とＵＨＦ用アンテナ入力回路３０との間にはダイオードＤ１が接続されている。ダイオードＤ１のアノードには直流電圧（＋Ｂ）が印加されており、ダイオードＤ１のカソードに対して切替スイッチ１１から抵抗Ｒ２を介して印加する電圧に応じて、ＶＨＦ用アンテナ入力回路２０とＵＨＦ用アンテナ入力回路３０とを切り替えている。ＵＨＦ側端子１１ａを選択すれば、ダイオードＤ１のカソードが接地されるので、ダイオードＤ１がＯＮしてＵＨＦ用アンテナ入力回路３０が選択され、ＶＨＦ側端子１１ｂを選択すれば、ダイオードＤ１のカソードに直流電圧（＋Ｂ）よりも大きな逆バイアス電圧が印加されるので、ダイオードＤ１がＯＦＦしてＶＨＦ用アンテナ入力回路２０が選択される。
【０００５】
ＶＨＦ用アンテナ入力回路２０は、切替スイッチ回路２１により、ＶＨＦローバンドとＶＨＦハイバンドとを切替え可能に構成されている。切替スイッチ回路２１において、ＶＨＦハイバンド側の端子２１ａを選択した場合、ダイオードＤ２のカソードが接地されるので、インダクタ２２及び２４の並列回路を介して接地され、ＶＨＦハイバンドに同調するようにＶＨＦ用アンテナ入力回路２０のインダクタンス値が調整される。一方、ＶＨＦローバンド側の端子２１ｂを選択した場合、ダイオードＤ２のカソードに直流電圧（＋Ｂ）よりも大きな逆バイアス電圧が印加されるので、ダイオードＤ２がＯＦＦして、インダクタ２２及び３３の直列回路を介して接地され、ＶＨＦローバンドに同調するようにＶＨＦ用アンテナ入力回路２０のインダクタンス値が調整される。
【０００６】
ＡＧＣ回路４０は、ＶＨＦ用アンテナ入力回路２０の出力端子に接続されたＶＨＦ側のＡＧＣアンプ４１と、ＵＨＦ用アンテナ入力回路３０の出力端子に接続されたＵＨＦ側のＡＧＣアンプ４２と、ＡＧＣアンプ４１とＡＧＣアンプ４２とを切り替えるトランジスタＴｒｓ１とを備えている。ＡＧＣアンプ４１、４２はＦＥＴで構成されている。トランジスタＴｒｓ１のＯＮ／ＯＦＦは切替スイッチ４４で行っている。トランジスタＴｒｓ１のベースは、ＵＨＦ側のＡＧＣアンプ４２の入力端子（ゲート１）に接続されると共に、抵抗Ｒ３，Ｒ４を直列に介して切替スイッチ４４の出力端子に接続される。切替スイッチ４４において、ＶＨＦ側の端子４４ａを選択すると、トランジスタＴｒｓ１のベースが接地されてトランジスタＴｒｓ１がＯＦＦすると共に、ＵＨＦ側のＡＧＣアンプ４２の入力端子が接地される。その結果、ＶＨＦ側のＡＧＣアンプ４１の出力電圧が抵抗４５及び抵抗Ｒ１を直列に介して入力端子に印加されて増幅作用する。このとき、抵抗Ｒ１はトランジスタＴｒｓ１（ＵＨＦ側）との間を確実に絶縁するため、１３ｋΩ程度の大きな抵抗値を用いる。また、切替スイッチ４４において、ＵＨＦ側の端子４４ｂを選択すると、トランジスタＴｒｓ１のベースに電圧が印加されてトランジスタＴｒｓ１がＯＮするので、ＶＨＦ側のＡＧＣアンプ４１の入力端子はトランジスタＴｒｓ１のコレクタ−エミッタ間を介して接地されてゼロバイアスになるので信号増幅の機能を果たさなくなる。
【０００７】
以上のように、３つの切替スイッチ１１、２１、４４、及びダイオードＤ１、トランジスタＴｒｓ１を用いて、ＶＨＦ用アンテナ入力回路２０及びＶＨＦ側のＡＧＣアンプ４１と、ＵＨＦ用アンテナ入力回路３０及びＵＨＦ側のＡＧＣアンプ４２とを切り替えている。
【特許文献１】特開２００２−３０００６５号公報
【発明の開示】
【発明が解決しようとする課題】
【０００８】
しかしながら、上記従来のテレビジョンチューナの入力回路は、次のような問題がある。
ダイオードＤ１に印加されるＤＣ電圧（ＶＨＦ選択時）／電流（ＵＨＦ選択時）は、入力される電界強度に関係なく一定であるので、強電界入力時にダイオードＤ１で歪が発生する可能性があった。
【０００９】
本発明は、かかる点に鑑みてなされたものであり、一方のアンテナ入力回路の入力段に設けたスイッチング素子に印加されるＤＣ電圧／電流を電界強度に応じて最適化でき、強電界入力時のスイッチング素子での歪の発生を抑制できるテレビジョンチューナの入力回路を提供することを目的とする。
【課題を解決するための手段】
【００１０】
本発明のテレビジョンチューナの入力回路は、テレビジョン信号が入力される入力端と、前記入力端に接続され、第１の帯域を受信帯域とする第１の高周波回路と、前記入力端に前記第１の高周波回路と並列に接続され、前記第１の帯域と異なる第２の帯域を受信帯域とする第２の高周波回路と、前記入力端と前記第２の高周波回路との間に設けられ、第１の帯域選択時にＯＦＦし、第２の帯域選択時にＯＮする半導体からなるスイッチング素子と、前記第１の高周波回路に設けられ、第１の帯域受信時に前記スイッチング素子にＡＧＣ電圧に連動して逆方向に増減するバイアス電圧を印加する第１のＡＧＣ回路と、前記第２の高周波回路に設けられ、第２の帯域受信時に前記スイッチング素子にＡＧＣ電圧に連動して逆方向に増減するバイアス電圧を印加する第２のＡＧＣ回路とを具備し、前記スイッチング素子は、当該スイッチング素子に流れる電流又は当該スイッチング素子の両端間にかかる電圧が、前記テレビジョン信号のレベルの大きさに応じて当該信号レベルの変化方向と同一方向に変動することを特徴とする。
【００１１】
この構成によれば、第１の帯域受信時に第１のＡＧＣ回路からスイッチング素子にＡＧＣ電圧に連動して逆方向に増減するバイアス電圧を印加し、第２の帯域受信時に第２のＡＧＣ回路からスイッチング素子にＡＧＣ電圧に連動して逆方向に増減するバイアス電圧を印加して、スイッチング素子に流れる電流又は当該スイッチング素子の両端間にかかる電圧が、前記テレビジョン信号のレベルの大きさに応じて当該信号レベルの変化方向と同一方向に変動するようにしたので、スイッチング素子に印加されるＤＣ電圧／電流を電界強度に応じて最適化でき、強電界入力時のスイッチング素子での歪の発生を抑制できる。
【００１２】
また本発明は、上記テレビジョンチューナの入力回路において、前記第１のＡＧＣ回路は、ＡＧＣ電圧によってゲインコントロールされる第１の増幅回路を有し、前記第２のＡＧＣ回路は、ＡＧＣ電圧によってゲインコントロールされる第２の増幅回路を有し、前記スイッチング素子は、前記第１の増幅回路の入力端と前記第２の増幅回路の入力端との間に直流的に接続され、受信帯域として選択された側のＡＧＣ回路の増幅回路の入力端から前記スイッチング素子に前記バイアス電圧が印加され、受信帯域として選択されなかった側のＡＧＣ回路の増幅回路の入力端が直流的に接地されることを特徴とする。
【００１３】
この構成により、受信帯域として選択された側のＡＧＣ回路の増幅回路の入力端から前記スイッチング素子にＡＧＣ電圧に連動したバイアス電圧を印加して、スイッチング素子の歪特性を改善できると共に、受信帯域として選択されなかった側のＡＧＣ回路の増幅回路の入力端が直流的に接地して増幅機能を果たさないようにすることができる。
【００１４】
また本発明は、上記テレビジョンチューナの入力回路において、テレビジョン信号が入力される前記入力端と前記スイッチングダイオードのカソードとの間に接続されたコンデンサと、コレクタが前記第１の増幅回路の入力端に直流的に接続され、ベースが前記第２の増幅回路の入力端に直流的に接続され、エミッタが接地されたトランジスタと、前記第１の増幅回路の入力端と前記トランジスタのコレクタとの間に接続され、前記第１の帯域に対して低インピーダンスとなる抵抗値を有する第１の抵抗と、前記スイッチングダイオードのカソードと前記第１の増幅回路の入力端との間を直流的に接続する第２の抵抗と、前記スイッチングダイオードのアノードと前記トランジスタのベースとに直流的に接続され、第１の帯域受信時は前記スイッチングダイオードのアノード及び前記トランジスタのベースを接地し、第２の帯域受信時は前記スイッチングダイオードに対して順バイアス電圧となる直流電圧を出力する切替スイッチとを具備したことを特徴とする。
【００１５】
この構成により、第２の帯域側を選択した場合、第１の増幅回路の入力端が低インピーダンスの第１の抵抗を介して接地されるので、強電界の信号が入力した場合には第１の増幅回路による歪の発生を抑制できる。
【００１６】
また、受信帯域の選択に応じてトランジスタをＯＮ／ＯＦＦさせる切替スイッチの直流電圧出力を用いてスイッチングダイオードをＯＮ／ＯＦＦさせるようにしたので、従来はスイッチングダイオードのＯＮ／ＯＦＦのためだけに備えていた切替スイッチを削減でき、ＩＣ側にＤＣ電圧供給用の専用ポートを削減することができる。
【００１７】
上記テレビジョンチューナの入力回路において、前記スイッチング素子は、スイッチングダイオードで構成することができる。また、前記第１の高周波回路としてＶＨＦ帯域受信用回路を用い、前記第２の高周波回路としてＵＨＦ帯域受信用回路を用いることができる。
【発明の効果】
【００１８】
本発明によれば、一方のアンテナ入力回路の入力段に設けたスイッチング素子に印加されるＤＣ電圧／電流を電界強度に応じて最適化でき、強電界入力時のスイッチング素子での歪の発生を抑制することができる。
【発明を実施するための最良の形態】
【００１９】
以下、本発明の実施の形態について添付図面を参照して詳細に説明する。
図１は本発明の一実施の形態に係るテレビジョンチューナの入力回路の構成図である。
本実施の形態に係るテレビジョンチューナの入力回路は、入力端子Ｔ１に対して、ＶＨＦ用アンテナ入力回路６０と、ＵＨＦ用アンテナ入力回路９０とが並列に接続され、ＶＨＦ用アンテナ入力回路６０及びＵＨＦ用アンテナ入力回路９０の出力段に、ＡＧＣアンプで構成されるＡＧＣ回路４０が接続され、さらにＶＨＦ用アンテナ入力回路６０側にはＶＨＦ  ＲＦ複同調回路５１及び混合器５２が接続され、ＵＨＦ用アンテナ入力回路９０側にはＵＨＦ  ＲＦ複同調回路５３及び混合器５４が接続されている。
【００２０】
入力端子Ｔ１とグラウンドとの間には、直流阻止用のコンデンサＣ１、帯域切替用の半導体スイッチング素子からなるダイオードＤ１、インダクタＬ１、高周波接地用のコンデンサＣ２とが直列に接続されている。帯域切替用のダイオードＤ１は、カソードが入力端子Ｔ１側に接続されている。ダイオードＤ１のカソードとコンデンサＣ１との接続点が抵抗Ｒ２を経由してＶＨＦ側のＡＧＣアンプ４１の入力端子に直流的に接続されている。
【００２１】
ＶＨＦ用アンテナ入力回路６０は、第１の帯域となるＶＨＦ帯を受信するアンテナ同調回路６１と、ＶＨＦハイバンド／ＶＨＦローバンドを切り替える切替スイッチ６２とを有する。アンテナ同調回路６１は、入力端子Ｔ１に対してインダクタ６３が並列に接続されており、当該インダクタ６３はダイオード６４を順方向に介してコンデンサ６５で高周波的に接地されている。ダイオード６４に対してコンデンサ６６が並列接続されていて、当該コンデンサ６６とダイオード６４のカソードとの接続点が抵抗６７を介して切替スイッチ６２の出力端子に接続されている。また、入力端子Ｔ１に対して、インダクタ６８及び６９からなる直列回路が並列に接続されている。インダクタ６９の接地側端部がコンデンサ７１にて高周波的に接地されると共に抵抗７２を介して接地されている。インダクタ６８は、インダクタ７３、ダイオードＤ２及びコンデンサ７４と共に閉回路を形成可能に構成されている。ダイオードＤ２のカソードは、抵抗７５を介して切替スイッチ６２の出力端子に接続され、ダイオードＤ２のアノードには、抵抗７６、インダクタ６９、６８、７３を経由してＤＣ電圧（＋Ｂ）が印加される。
【００２２】
ダイオードＤ２のアノードとインダクタ７３の一端との接続点は直流カット用のコンデンサ７７を介してインダクタ７８の一端に接続される。インダクタ７８の他端にはバラクタダイオード７９，８１のカソードが接続されている。一方のバラクタダイオード７９のカソードは接地されており、他方のバラクタダイオード８１のアノードは抵抗８２を介して接地されると共に直流カット用のコンデンサ８３を介してＶＨＦ側のＡＧＣアンプ４１の入力端子（ゲート１）に接続されている。バラクタダイオード７９，８１のカソードにはチューニング電圧Ｔｕを印加可能に構成されている。また、入力端子Ｔ１とＶＨＦ側のＡＧＣアンプ４１の入力端子との間にはコンデンサ８４が並列に接続されている。
【００２３】
切替スイッチ６２において、ＶＨＦハイバンド側の端子６２ａが選択された場合、ダイオードＤ２及び６４がＯＮしてカソードが接地され、ＶＨＦローバンド側の端子６２ｂが選択された場合、ダイオードＤ２及び６４がＯＦＦ状態となる。このように、ダイオードＤ２及び６４のＯＮ／ＯＦＦを切り替えることで、グラウンドとの間に投入されるインダクタ６３、６８、６９を切り替えることができ、ＶＨＦハイバンド／ＶＨＦローバンドを切り替えている。また、バラクタダイオード７９，８１に印加するチューニング電圧Ｔｕを制御することで、ＶＨＦハイバンドまたはＶＨＦローバンドにおける同調周波数を可変させることができる。
【００２４】
ＵＨＦ用アンテナ入力回路９０は、ＵＨＦ帯に同調するするアンテナ同調回路９１を備える。アンテナ同調回路９１は、直流カット用のコンデンサ９２を介してダイオードＤ１のアノードに接続されている。コンデンサ９２の一端に対してインダクタ９３の一端が接続され、インダクタ９３の他端とグラウンドとの間にインダクタ９４が接続されている。また、インダクタ９３の他端に対してバラクタダイオード９５のアノードが接続され、バラクタダイオード９５のカソードにバラクタダイオード９６のカソードが接続されている。バラクタダイオード９６のアノードはコンデンサ９７で高周波的に接地されると共に抵抗９８で直流的に接地されている。バラクタダイオード９５、９６のカソードには抵抗９９を介してチューニング電圧Ｔｕが印加されるように構成されている。アンテナ同調回路９１の出力端は直流カット用のコンデンサ１０１を介してＵＨＦ側のＡＧＣアンプ４２の入力端子（ゲート１）に接続されている。ＵＨＦ用アンテナ入力回路９０の入出力端間にはコンデンサ１０２が並列に接続されている。
【００２５】
ＵＨＦ帯とＶＨＦ帯とを切り替える切替スイッチ４４の出力端子は、バイアス用の抵抗Ｒ３を経由してインダクタＬ１とコンデンサＣ２との中間接続点に接続されている。また、抵抗Ｒ４を経由してＵＨＦ側のＡＧＣアンプ４２の入力端子（ゲート１）に接続されている。
【００２６】
ＡＧＣ回路４０は、ＶＨＦ側のＡＧＣアンプ４１と、ＵＨＦ側のＡＧＣアンプ４２と、増幅動作させるＡＧＣアンプを切り替えるトランジスタＴｒｓ１とを有する。ここで、ＡＧＣ回路４０は、図５に示すＡＧＣ回路４０と同様に構成されているが、ＡＧＣアンプ４１の入力端子（ゲート１）をトランジスタＴｒｓ１経由で接地する第１の抵抗となる抵抗Ｒ０が、小抵抗値（例えば、数１０Ω〜数１００Ω）の抵抗体で構成されている点が相違する。ＡＧＣアンプ４１、４２は、入力する電界強度と反比例するように電圧が制御されるＡＧＣ電圧がゲート２に印加される。すなわち、ＡＧＣ電圧は入力する電界強度が大きくなるのに応じて小さくなり、逆に入力する電界強度が小さくなるのに応じて大きくなるように連動する。ＡＧＣアンプ４１、４２は、ゲート２に印加されるＡＧＣ電圧に応じてゲインコントロールされることにより、入力される電界強度の変動に対して出力信号レベルが一定になるように制御される。すなわち、入力される電界強度が強くなると、ＡＧＣアンプの入力端子（ゲート１）の入力電圧も大きくなるので、ＡＧＣ電圧が小さくなり、出力信号レベルを下げるように動作する。逆に、入力される電界強度が弱くなると、ＡＧＣアンプの入力端子（ゲート１）の入力電圧も小さくなるので、ＡＧＣ電圧が大きくなり、出力信号レベルを上げるように動作する。
【００２７】
次に、以上のように構成された本実施の形態の動作について説明する。
ＵＨＦ帯受信時の動作について説明する。切替スイッチ４４においてＵＨＦ側の端子４４ｂが選択される。ＵＨＦ帯受信時は、ＵＨＦ側の端子４４ｂに印加されているＤＣ電圧（正側）が、抵抗Ｒ３，Ｒ４を経由してトランジスタＴｒｓ１のベースに印加される。これにより、トランジスタＴｒｓ１のコレクタ−エミッタ間が導通するので、ＶＨＦ側のＡＧＣアンプ４１の入力端子（ゲート１）が低インピーダンスである抵抗Ｒ０を介して接地される。ＡＧＣアンプ４１はＤＣバイアス的にはゼロバイアスになるので信号増幅機能は果たさなくなる。
【００２８】
一方で、ＵＨＦ側の端子４４ｂに印加されているＤＣ電圧（正側）は、抵抗Ｒ３、インダクタＬ１を経由してダイオードＤ１のアノードに印加される。ダイオードＤ１は切替スイッチ４４から印加されるＤＣ電圧で導通するので、入力端子Ｔ１に伝搬した高周波信号はＵＨＦ側のアンテナ同調回路９０に導入される。このとき、チューニング電圧Ｔｕでバラクタダイオード９５，９６の容量を制御して所望の周波数に同調させて受信周波数を抽出し、ＵＨＦ側にＡＧＣアンプ４２で増幅して出力する。
【００２９】
図２はＵＨＦ帯受信時の等価回路図である。同図に示すように、ＵＨＦ帯受信時には増幅機能を果たさないＶＨＦ側のＡＧＣアンプ４１は、入力端子（ゲート１）が抵抗Ｒ０およびトランジスタＴｒｓ１を介して接地される。抵抗Ｒ０は数１０Ωから数１００Ωの小抵抗を用いることで、ＡＧＣアンプ４１の入力端子（ゲート１）は小抵抗で接地される。したがって、ＡＧＣアンプ４１の入力端子（ゲート１）が極低インピーダンスになることで、アンテナ端に強電界の信号が入力された場合であっても、ＡＧＣアンプ４１で歪を発生する可能性が極めて低くなるという利点がある。
【００３０】
また、図２に示すように、切替スイッチ４４からトランジスタＴｒｓ１のエミッタ接地に向けて点線で示す順バイアス電流が流れる。すなわち、順バイアス電流は、切替スイッチ４４から抵抗Ｒ３，Ｌ１，ダイオードＤ１，抵抗Ｒ２、抵抗Ｒ０、トランジスタＴｒｓ１のコレクタ−エミッタを経由してグラウンドに流れる。このとき、ＵＨＦ側のＡＧＣアンプ４２のダイオードＤ１の順バイアス電圧はＡＧＣ信号の大きさに連動して変化する。入力する電界強度が強い時は、ＡＧＣ信号のＡＧＣ電圧が小さく、電界強度が弱い時は、ＡＧＣ信号のＡＧＣ電圧が大きくなるので、ＡＧＣ電圧が高から低に変化する場合は、順バイアス電圧が低から高に変化する。すなわち、入力される電界強度が強くなるのに応じて順バイアス電圧が大きくなり、ダイオードＤ１に流れる順バイアス電流が大きくなる。よって、入力する電界強度が強い場合にはダイオードＤ１に流れる順バイアス電流が大きくなるので、ダイオードＤ１の歪が発生する可能性を低減することができる。
【００３１】
なお、ＵＨＦ用アンテナ入力回路９０の入力端とグラウンドとの間にはインダクタＬ１とコンデンサＣ２とのＬＣ直列共振回路が構成されている。かかるＬＣ直列共振回路の共振周波数を、ＶＨＦ受信帯域に設定することにより、ＶＨＦ受信帯域の信号がグラウンドに流れるので、ＶＨＦ受信帯域の信号がＵＨＦ帯のアンテナ同調回路９１に混入することを防止することができ、アンテナ同調回路９１の減衰特性にプラス効果をもたらすことができる。
【００３２】
次に、ＶＨＦ帯受信時の動作について説明する。切替スイッチ４４においてＶＨＦ側の端子４４ａが選択される。ＶＨＦ帯受信時は、ＵＨＦ側のＡＧＣアンプ４２の入力端子がＶＨＦ側の端子４４ｂを介して接地されるので、ＵＨＦ側のＡＧＣアンプ４２がＤＣバイアス的にはゼロバイアスとなり、信号増幅機能を果たさなくなる。また、トランジスタＴｒｓ１のベースが、抵抗Ｒ５、Ｒ４、Ｒ３及び接点４４ａを経由して接地されるので、トランジスタＴｒｓ１のコレクタ−エミッタ間は非導通となる。これにより、ＶＨＦ側のＡＧＣアンプ４１の入力端子が接地されなくなるので、信号増幅機能を果たすようになる。
【００３３】
また、ダイオードＤ１のアノードがインダクタＬ１、抵抗Ｒ３及び接点４４ａを経由して接地される。これにより、ダイオードＤ１が非導通となり、高インピーダンスとなるので入力端子Ｔ１に印加された高周波信号はＶＨＦ側のアンテナ同調回路６１に導入される。アンテナ同調回路６１で抽出された高周波信号はＶＨＦ側のＡＧＣアンプ４１で増幅された後、後段の複同調回路５１へ送出される。
【００３４】
図３はＶＨＦ帯受信時の等価回路図である。同図に示すように、ＶＨＦ側のＡＧＣアンプ４１の出力端が抵抗４５及び抵抗Ｒ０を介して入力端子（ゲート１）に接続される。ＶＨＦ側のＡＧＣアンプ４１の入力端子（ゲート１）は抵抗Ｒ２を経由してダイオードＤ１のカソードに直流的に接続されている。したがって、図３に点線で示すように、ＶＨＦ帯受信時にはダイオードＤ１に対してオフバイアス電圧が印加される。オフバイアス電圧は入力する電界強度に連動して変化する。入力する電界強度が強くなるのに応じて、オフバイアス電圧が大きくなり、入力する電界強度が弱くなるのに応じて、オフバイアス電圧が小さくなる。よって、入力する電界強度が強い場合にはダイオードＤ１に印加するオフバイアス電圧が大きくなるので、ダイオードＤ１が歪を発生する可能性を低減することができる。
【００３５】
また、本実施の形態によれば、ダイオードＤ１を帯域選択に同期してＯＮ／ＯＦＦさせるための切替スイッチ１１を設けることなく、ＵＨＦ帯受信時にはダイオードＤ１のカソードを接地し、ＶＨＦ帯受信時にはダイオードＤ１のカソードにオフバイアス電圧を印加できるようにしたので、ＤＣ電圧供給先のＩＣに専用ポートを設ける必要がなくなる利点がある。
【００３６】
図４（ａ）は本実施の形態に係るアンテナ入力回路のアンテナ選択特性のシミュレーション結果を示している。ＵＨＦ受信帯域を３６９ＭＨｚに設定している。ＵＨＦ受信帯域を３６９ＭＨｚとした場合、７２．３ＭＨｚ離れた位置がイメージ周波数となる。同図に示すように、イメージ周波数が大きく減衰した良好なアンテナ選択特性が実現されている。
【００３７】
図４（ｂ）はＶＨＦ側のＡＧＣアンプ４１の入力端子での減衰特性のシミュレーション結果を示している。ＡＧＣアンプ４１の入力端子（ゲート１）に接続された抵抗Ｒ０を、大抵抗の１３ｋΩに設定した場合を示している。同図に示すように、ＶＨＦ側のアンテナ同調回路６１の同調周波数である１１９ＭＨｚにピークが立っている。入力する電界強度が強い場合に、上記１１９ＭＨｚのピーク信号でＡＧＣアンプ４１に歪が発生する可能性がある。
【００３８】
図４（ｃ）はＶＨＦ側のＡＧＣアンプ４１の入力端子での減衰特性のシミュレーション結果を示しており、抵抗Ｒ０を、小抵抗の５０Ωに設定した場合である。同図に示すように、１１４ＭＨｚにピークが立っているが、同図（ｂ）に示す大抵抗の場合に比べて減衰特性が改善されている。
【００３９】
図４（ｄ）はＶＨＦ側のＡＧＣアンプ４１の入力端子での減衰特性のシミュレーション結果を示しており、抵抗Ｒ０を、小抵抗の１０Ωに設定した場合である。同図に示すように、１１２ＭＨｚにピークが立っているが、同図（ｂ）に示す大抵抗の場合に比べて大幅に減衰特性が改善されている。
【００４０】
ＵＨＦ中間帯域（６０３ＭＨｚ）、ＵＨＦ高帯域（８６１ＭＨｚ）についても上記同様のシミュレーションを行ったところ、上記同様の傾向を確認することができた。
【００４１】
このように、本実施の形態によれば、ＶＨＦ側のＡＧＣアンプ４１の入力端子に接続されＵＨＦ帯受信時に接地される抵抗Ｒ０を小抵抗にしたので、ＵＨＦ帯受信時の減衰特性を改善することができる。
【００４２】
また、ＵＨＦ側のアンテナ入力回路９０の入力段に設けたダイオードＤ１のカソードをＵＨＦ帯受信時は順バイアスを印加する一方、ＶＨＦ帯受信時には接地し、ダイオードＤ１のアノードを直流的にＶＨＦ側のＡＧＣアンプ４１の入力端子に接続したので、トランジスタＴｒｓ１を制御する切替スイッチ４４でダイオードＤ１をＯＮ／ＯＦＦする切替スイッチを兼用でき、ＤＣ電圧供給先のＩＣに設ける専用ポートを削減できる。
【００４３】
しかも、ダイオードＤ１のバイアス電圧（ＶＨＦ時）／電流（ＵＨＦ時）は入力する電界強度に連動して歪が低減される方向に変化するので、ダイオードＤ１での歪みの発生を抑制することもできる。
【００４４】
本発明は、上記した一実施の形態に限定されるものではなく、種々変形実施可能である。たとえば、ＶＨＦ帯とＵＨＦ帯の切り替えに限定されるものではなく、その他の帯域であっても適用可能である。
【図面の簡単な説明】
【００４５】
【図１】本発明の一実施の形態に係るテレビジョンチューナの入力回路の構成図
【図２】一実施の形態のテレビジョンチューナの入力回路のＵＨＦ帯受信時の等価回路図
【図３】一実施の形態のテレビジョンチューナの入力回路のＶＨＦ帯受信時の等価回路図
【図４】（ａ）一実施の形態のアンテナ入力回路のアンテナ選択特性のシミュレーション結果を示す図、（ｂ）ＶＨＦ側のＡＧＣアンプの入力端子での減衰特性であって１３ｋΩを用いた場合のシミュレーション結果を示す図、（ｃ）ＶＨＦ側のＡＧＣアンプの入力端子での減衰特性であって５０Ωを用いた場合のシミュレーション結果を示す図、（ｄ）ＶＨＦ側のＡＧＣアンプの入力端子での減衰特性であって１０Ωを用いた場合のシミュレーション結果を示す図
【図５】ＶＨＦ帯／ＵＨＦ帯を別々の高周波回路に振り分けて受信するテレビジョンチューナの入力回路の構成図
【符号の説明】
【００４６】
Ｔ１  入力端子
Ｄ１  ダイオード
Ｔｒｓ１  トランジスタ
Ｒ０  抵抗
１０  アンテナフィルタ
４０  増幅回路
４１、４２  ＡＧＣアンプ
４４  切替スイッチ（ＶＨＦ／ＵＨＦ）
６０  ＶＨＦ用アンテナ入力回路
６１  アンテナ同調回路（ＶＨＦ）
６２  切替スイッチ（ＶＨＦローバンド／ＶＨＦハイバンド）
９０  ＵＨＦ用アンテナ入力回路
９１  アンテナ同調回路（ＵＨＦ）
【図１】
2010068401.tif 000003
【図２】
2010068401.tif 000004
【図３】
2010068401.tif 000005
【図４】
2010068401.tif 000006
【図５】
2010068401.tif 000007